(57)【要約】【課題】居住空間の配置を工夫して、中間部分に簡易且つ安価で維持管理も容易な導光用ダクトを効率良く設けることができると共に、導光用ダクトから４方に放光することを可能にして、自然光の利用や省エネルギー化を効率良く図ることができる自然光利用建物を提供する。【解決手段】本発明の自然光利用建物１０は、床居住部１２と低床居住部１３とが０．５層分の高低差で隣接して配置され、且つ高床居住部１２の床部１２ａと低床居住部１３の床部１３ａとは隣接する側の辺部が上下に重ねて配置される部分の空間に０．５層分の高さの導光用横ダクト１４が設けられる。導光用横ダクト１４は、内周面に光反射材が取り付けられ、採光口１６から取り込まれた自然光を横方向に誘導するようになっており、且つ導光用横ダクト１４の４方の周面に設けられた放光口１５から、自然光を周囲の居住空間に放光できるようになっている。【選択図】図１
2010013877.tif 000002
【特許請求の範囲】
【請求項１】
上階居住空間に高床居住部と低床居住部とが０．５層分の高低差で隣接して配置され、且つ前記高床居住部の床部と前記低床居住部の床部とは隣接する側の辺部が上下に重ねて配置されることにより、当該重ねて配置される部分の空間に０．５層分の高さの正方形又は矩形の断面形状を有する導光用横ダクトが設けられる領域を屋内に備えており、
該導光用横ダクトは、内周面に光反射材が取り付けられ、採光口から取り込まれた自然光を当該導光用横ダクトで横方向に誘導するようになっており、且つ該導光用横ダクトの下面、両側の側面、及び上面の少なくとも一つの面に設けられた放光口から、自然光を周囲の居住空間に放光できるようになっている自然光利用建物。
【請求項２】
前記高床居住部の下方の下階居住空間及び／又は前記低床居住部の上方の上階居住空間に、０．５層分の高さの収納庫が設けられている請求項１に記載の自然光利用建物。
【請求項３】
前記採光口が、下端部が前記導光用横ダクトに接続すると共に、縦方向に延設して上端部が建物の屋根部分又は屋上部分に開口する、内周面に光反射材が取り付けられた導光用縦ダクトの当該上端部に形成され、該上端部に取り付けられた採光装置によって前記導光用縦ダクト及び前記導光用横ダクトに自然光を取り込むようになっている請求項１又は２に記載の自然光利用建物。
【請求項４】
前記導光用横ダクト及び前記導光用縦ダクトは、これらの内部に導光用ダクト管を設置することにより構成されており、前記導光用横ダクト及び前記導光用縦ダクトの内周面と前記導光用ダクト管の外周面との間には換気路が保持されており、前記導光用縦ダクトを通過する前記換気路を介した上昇気流によって、居住空間の換気を行えるようになっている請求項３に記載の自然光利用建物。
【請求項５】
前記導光用横ダクトには、その一部が０．５層分の高さで下方に拡幅されることにより、前記低床居住部の床部から下方に突出する垂直放光部が形成されている請求項１〜４の何れかに記載に自然光利用建物。
【請求項６】
前記垂直放光部の直下部分に、下階居住空間から利用可能な収納部が設けられている請求項５に記載の自然光利用建物。
【請求項７】
前記導光用横ダクトから自然光が放光される周囲の居住空間の内周面に、光触媒系材料による仕上げが施されている請求項１〜６の何れかに記載に自然光利用建物。
【発明の詳細な説明】
【技術分野】
【０００１】
本発明は、自然光利用建物に関し、特に０．５層分の高さの導光用横ダクトが設けられた自然光利用建物に関する。
【背景技術】
【０００２】
近年、省エネルギー化を図ることや二酸化炭素の排出削減による環境保護などを目的として、太陽からの自然光を屋内に取り込んで利用する技術が種々開発されている。例えば、壁や屋根に設けた採光装置から、横方向に延設される光ダクト装置を介して太陽からの自然光を建物の内部に導き、この光ダクト装置から下方の居住空間に向けて自然光を放光できるようにした建物が提案されている（例えば、特許文献１、特許文献２参照）。
【特許文献１】特開２００４−３９３１８号公報
【特許文献２】特開２００４−３１９１１０号公報
【発明の開示】
【発明が解決しようとする課題】
【０００３】
しかしながら、上記従来の光ダクト装置を介して太陽からの自然光を建物の内部に導くようにした建物では、光ダクト装置は、構造が複雑で高価なものになると共に、天井裏部分の高さの低い狭い空間に設けられることから、維持管理が容易ではなく、また光ダクト装置の内部に人が立ち入ることはできないため、清掃や補修等に多くの手間を要することになる。さらに、光ダクト装置を介して導光される自然光を屋内に放光するための放光口は、主として下方といった限られた方向に設けられていて、限られた居住空間にしか自然光を放光することができなかったため、光ダクト装置を介して建物の内部に導びかれた自然光を、必ずしも効率良く利用できているとは言えなかった。
【０００４】
本発明は、このような従来の課題に着目してなされたものであり、建物の居住空間の配置を工夫して、建物の中間部分に簡易且つ安価で維持管理も容易な導光用ダクトを効率良く設けることができると共に、必要に応じて導光用ダクトから４方に放光することを可能にして、自然光の利用や省エネルギー化を効率良く図ることのできる自然光利用建物を提供することを目的とする。
【課題を解決するための手段】
【０００５】
本発明は、上階居住空間に高床居住部と低床居住部とが０．５層分の高低差で隣接して配置され、且つ前記高床居住部の床部と前記低床居住部の床部とは隣接する側の辺部が上下に重ねて配置されることにより、当該重ねて配置される部分の空間に０．５層分の高さの正方形又は矩形の断面形状を有する導光用横ダクトが設けられる領域を屋内に備えており、該導光用横ダクトは、内周面に光反射材が取り付けられ、採光口から取り込まれた自然光を当該導光用横ダクトで横方向に誘導するようになっており、且つ該導光用横ダクトの下面、両側の側面、及び上面の少なくとも一つの面に設けられた放光口から、自然光を周囲の居住空間に放光できるようになっている自然光利用建物を提供することにより、上記目的を達成したものである。
【０００６】
ここで、上記記載における０．５層分の高さは、一般に２３０〜３６０ｃｍ程度の高さを有する１層分の高さの中間部分に位置する高さを略称するものであり、１層分の高さの１／２の高さの他、１層分の高さの４０〜６３％程度の高さを含むものである。
【０００７】
そして、本発明の自然光利用建物は、前記高床居住部の下方の下階居住空間及び／又は前記低床居住部の上方の上階居住空間に、０．５層分の高さの収納庫が設けられていることが好ましい。
【０００８】
また、本発明の自然光利用建物は、前記採光口が、下端部が前記導光用横ダクトに接続すると共に、縦方向に延設して上端部が建物の屋根部分又は屋上部分に開口する、内周面に光反射材が取り付けられた導光用縦ダクトの当該上端部に形成され、該上端部に取り付けられた採光装置によって前記導光用縦ダクト及び前記導光用横ダクトに自然光を取り込むようになっていることが好ましい。
【０００９】
さらに、本発明の自然光利用建物は、前記導光用横ダクト及び前記導光用縦ダクトが、これらの内部に導光用ダクト管を設置することにより構成されており、前記導光用横ダクト及び前記導光用縦ダクトの内周面と前記導光用ダクト管の外周面との間には換気路が保持されており、前記導光用縦ダクトを通過する前記換気路を介した上昇気流によって、居住空間の換気を行えるようになっていることが好ましい。
【００１０】
さらにまた、本発明の自然光利用建物は、前記導光用横ダクトには、その一部が０．５層分の高さで下方に拡幅されることにより、前記低床居住部の床部から下方に突出する垂直放光部が形成されていることが好ましい。
【００１１】
また、本発明の自然光利用建物は、前記垂直放光部の直下部分に、下階居住空間から利用可能な収納部が設けられていることが好ましい。
【００１２】
さらに、本発明の自然光利用建物は、前記導光用横ダクトから自然光が放光される周囲の居住空間の内周面に、光触媒系材料による仕上げが施されていることが好ましい。
【００１３】
そして、本発明の自然光利用建物によれば、導光用横ダクトは、上階居住空間に高床居住部と低床居住部とを０．５層分の高低差で隣接して配置すると共に、高床居住部の床部と低床居住部の床部の隣接する側の辺部を上下に重ねて配置することにより、当該重ねて配置される部分の空間に０．５層分の高さを有するように形成されるので、例えば０．５層分の階間収納庫や吹抜け部が居住空間の一部に設けられる建物における、０．５層分の高低差を有する部分の隣接する居住部間の床部を利用して、４方を居住部によって囲まれる建物の中間部分に、導光用横ダクトを簡易に且つ効率良く設けることが可能になる。
【００１４】
また、導光用横ダクトは、高床居住部の床部と低床居住部の床部の隣接する側の辺部を上下に重ねて配置することにより形成された０．５層分の高さの空間に、正方形又は矩形の断面形状を有するように形成されており、例えば低床居住部から当該導光用横ダクトに人が容易に立ち入ることができる大きさを有しているので、当該導光用横ダクトの施工及び維持管理を容易に行うことができると共に、補修や清掃等を容易に行うことが可能になる。
【００１５】
さらに、導光用横ダクトは、４方を居住部によって囲まれる建物の中間部分に設けられるので、下面、両側の側面、及び上面の、一部又は全部の面に設けられた放光口から、４方の居住部に必要に応じて適宜放光することが可能になり、これによって導光用横ダクトを介して採光口から導光された自然光を、広い領域に亘って効率良く放光することを可能にして、省エネルギー化を効果的に図ることが可能になる。
【００１６】
また、本発明の自然光利用建物によれば、高床居住部の下方の下階居住空間や低床居住部の上方の上階居住空間に、例えばスキップ床を配置して０．５層分の高さの収納庫を設けることができ、これによって、適度な広さの収納スペースを効率良く確保することが可能になる。
【００１７】
さらに、本発明の自然光利用建物によれば、採光口を、下端部が導光用横ダクトに接続すると共に、縦方向に延設して上端部が建物の屋根部分又は屋上部分に開口する、内周面に光反射材が取り付けられた導光用縦ダクトの当該上端部に形成し、この上端部に取り付けられた採光装置によって導光用縦ダクト及び導光用横ダクトに自然光を取り込むようにすることができる。これによって、長時間に亘って太陽光が照射される建物の屋根部分又は屋上部分に開口する採光口に取り付けた採光装置から、内周面に光反射材が取り付けられた導光用縦ダクトを介して、建物の中間部分に設けられた導光用横ダクトに長時間に亘って効率良く安定した状態で自然光を導光することが可能になる。
【００１８】
さらにまた、本発明の自然光利用建物によれば、導光用横ダクト及び導光用縦ダクトを、これらの内部に導光用ダクト管を設置することにより構成して、導光用横ダクト及び導光用縦ダクトの内周面と導光用ダクト管の外周面との間に換気路を保持すると共に、導光用縦ダクトを通過する換気路を介した上昇気流によって、居住空間の換気を行うようにすることができる。これによって、自然光が導光される導光用ダクト管の内部を経ることなく、居住部から排出される排気を、導光用横ダクト及び導光用縦ダクトを通過する換気路を介した上昇気流によって、例えば導光用縦ダクトの上部に設けた排気口から、効率良く屋外に排出することが可能になる。
【００１９】
また、本発明の自然光利用建物によれば、導光用横ダクトから自然光が放光される周囲の居住空間の内周面に、光触媒系材料による仕上げを施すことができ、これによって、太陽光からの自然光に含まれる紫外線の作用により空気中の有害物質除去機能、脱臭機能、抗菌・殺菌機能等を発揮させて、周囲の居住空間の環境浄化を図ることが可能になると共に、周囲の居住空間の内周面を構成する壁面や床面、天井面等に汚れが生じるのを効果的に抑制することが可能になる。
【発明の効果】
【００２０】
本発明の自然光利用建物によれば、建物の居住空間の配置を工夫して、建物の中間部分に簡易且つ安価で維持管理も容易な導光用ダクトを効率良く設けることができると共に、必要に応じて導光用ダクトから４方に放光することを可能にして、自然光の利用や省エネルギー化を効率良く図ることができる。
【発明を実施するための最良の形態】
【００２１】
図１（ａ），（ｂ）及び図２（ａ）〜（ｃ）に示す本発明の好ましい一実施形態に係る自然光利用建物１０は、例えば東側、南側、及び西側の３方が隣家と隣接する狭小な敷地に建築された、全体が略２．５層分の軒桁高さを有する低層の住宅建築物である。本実施形態の自然光利用建物１０は、このような太陽からの自然光を屋内に取り込みにくい敷地に建築された場合でも、長時間に亘って自然光を建物の内部に導き入れることを可能にして、自然光の利用や省エネルギー化を効率良く図ることができるようにする機能を備えている。
【００２２】
そして、本実施形態の自然光利用建物１０は、上階居住空間１１に高床居住部１２と低床居住部１３とが０．５層分の高低差で隣接して配置され、且つ高床居住部１２の床部１２ａと低床居住部１３の床部１３ａとは隣接する側の辺部が上下に重ねて配置されることにより、当該重ねて配置される部分の空間に０．５層分の高さの略正方形の断面形状を有する導光用横ダクト１４が設けられる領域を屋内に備えており、この導光用横ダクト１４は、内周面に光反射材が取り付けられ、採光口１６から取り込まれた自然光を当該導光用横ダクト１４で横方向に誘導するようになっており、且つ導光用横ダクト１４の下面１４ａ、両側の側面１４ｂ，１４ｂ、及び上面１４ｃの少なくとも一つの面に設けられた放光口１５から、自然光を周囲の居住空間に放光できるようになっている。
【００２３】
また、本実施形態では、採光口１６が、下端部１７ａが導光用横ダクト１４に接続すると共に、縦方向に延設して上端部１７ｂが建物１０の屋根部分に開口する、内周面に光反射材が取り付けられた導光用縦ダクト１７の当該上端部１７ｂに形成されており、この上端部１７ｂに取り付けられた採光装置１８によって導光用縦ダクト１７及び導光用横ダクト１４に自然光を取り込むようになっている。
【００２４】
本実施形態の自然光利用建物１０の下階（１階）居住空間１９には、図１（ａ）及び（ｂ）に示すように、建物１０の南東部分に配置されて、１層分の天井高さの１階第１居住部２０が設けられており、この１階第１居住部２０の北側には、建物１０の北東部分に配置されて、１層分の天井高さの１階第２居住部２１が設けられている。また、１階第１居住部２０の西側には、建物１０の南西部分に配置されて、０．５層分の天井高さの１階収納庫２２が設けられており、この１階収納庫２２の上方には、１層分の天井高さの１階第３居住部２３が設けられている。さらに、１階収納庫２２及び１階第３居住部２３の北側には、建物１０の北西部分に配置されて、１．５層分の高さの１階第４居住部２４が設けられている。
【００２５】
なお、本実施形態では、図２（ａ）〜（ｃ）における各居住部や収納庫は、主としてこれらの天井高さや床高さを基準として区画されたものであり、各居住部や収納庫をさらに仕切壁等で区画して、居室、玄関、階段、水廻り等を適宜設けることができるようになっている。
【００２６】
下階（１階）居住空間１９から第１階段を介して昇降可能な上階（２階）居住空間１１には、図１（ｂ）及び（ｃ）に示すように、建物１０の南東部分に配置されて、１層分の天井高さの２階第１居住部２６が設けられており、この２階第１居住部２６の北側には、１．５層分の天井高さの２階第２居住部２７が設けられており、この２階第２居住部２７のさらに北側には、建物１０の北東部分に配置されて、０．５層分の天井高さの階間収納庫２８が設けられている。この階間収納庫２８の上方には、１層分の天井高さの２階第３居住部２９が設けられており、この２階第３居住部２９には、第２階段３０を介して２階第２居住部２７から昇降可能となっている。
【００２７】
また、２階第１居住部２６、２階第２居住部２７、及び階第３居住部２９の西側には、勾配天井３１（図１（ａ）参照）の下方に位置して、１．５層分の天井高さの２階第４居住部３２が、建物１０の西側部分の全域に設けられている。さらに、建物１０の南東部分に配置された２階第１居住部２６の上方には、０．５層分の天井高さの２階収納庫３３が設けられており、この２階収納庫３３には、第３階段３４を介して２階第４居住部３２から昇降可能となっている。
【００２８】
そして、本実施形態では、上階居住空間１１には、図１（ａ），（ｂ）及び図２（ｂ）に示すように、２階第４居住部３２を高床居住部１２とし、２階第１居住部２６及び２階第２居住部２７を低床居住部１３として、これらが東西方向に０．５層分の高低差で隣接して配置されると共に、高床居住部１２の床部１２ａと低床居住部１３の床部１３ａとは隣接する側の辺部が上下に重ねて配置されることにより、当該重ねて配置される部分の空間に０．５層分の高さの略正方形の断面形状を有する導光用横ダクト１４が設けられている。
【００２９】
導光用横ダクト１４は、高床居住部１２の床部１２ａと低床居住部１３の床部１３ａが上下に重ねて配置される部分において、図３に示すように、上下をこれらの床部１２ａ，１３ａによって、左右を仕切り壁３５，３５によって区画されることにより、０．５層分の高さに相当する、例えば７５〜１５０ｃｍ程度の長さを一辺とする略正方形の断面形状を備えていて、人が容易に立入ることができる広さの通路状の中空部として形成される。
【００３０】
また、導光用横ダクト１４の内周面には、光反射材３６が取り付けられており、これによって、採光口１６から取り込まれた自然光を反射させつつ効率良く横方向に誘導することができるようになっている。ここで、光反射材３６としては、光の全反射率の高い材料として公知の、各種の仕上げ材を用いることができ、例えば銀蒸着樹脂フィルム、高反射率アルミニウムシート、ガラスの鏡、圧延仕上鏡面アルミ、化学研磨鏡面アルミ、ステンレス製鏡面研磨材等を、好ましく用いることができる。
【００３１】
より具体的には、導光用横ダクト１４は、例えばこれの内周面を被覆して、硬質グラスウール等からなる断熱材３７を敷設すると共に、当該導光用横ダクト１４が略正方形の中空断面形状を有するように、天面部から間隔をおいて高さ調整下地３８を取り付けた後に、例えば不燃ボード３９を介在させつつ光反射材３６を取り付けることによって容易に形成することができる。なお、点検口である導光用横ダクト１４への出入り口４０に設けられた開閉扉４１にもまた、これの内側面に光反射材３６が取り付けられる。
【００３２】
本実施形態では、導光用横ダクト１４の下面１４ａ、両側の側面１４ｂ，１４ｂ、及び上面１４ｃの少なくとも一つの面に、放光口１５が開口形成されている。放光口１５は、導光用横ダクト１４の周囲を区画する上下の床部１２ａ，１３ａや左右の仕切り壁３５，３５を貫通するようにして設けられる。放光口１５には、これの表側及び裏側の開口面に沿って、ペア硝子４２が２重構造となるように取り付けられていると共に、放光口１５の開口内壁面を覆うようにして、光拡散シート４３が取付けられている。また、図４に示すように、放光口１５を導光用横ダクト１４の上面１４ｃに開口形成する場合には、当該上面１４ｃに沿って配置される硝子を強化硝子４４とすることにより、上方からの荷重を安定して支持することが可能になる。
【００３３】
また、本実施形態では、上端部１７ｂに採光口１６が形成されて、採光口１６から取り込まれた太陽からの自然光を導光用横ダクト１４に送り込む導光用縦ダクト１７（図１（ａ），（ｂ）参照）は、例えば縦横９０ｃｍ程度の大きさの正方形の中空断面形状を有する筒状部分であって、これらの内周面を覆って、上述と同様の光反射材が取り付けられていることにより、取り込まれた自然光を導光用横ダクト１４まで効率良く導光できるようになっている。導光用縦ダクト１７は、建物１０の外壁から離れた中間部分において、屋根を貫通して鉛直方向（縦方向）に延設し、下端部１７ａが導光用横ダクト１４に接続すると共、上端部１７ｂが建物１０の屋根部分に開口して、採光口１６を形成している。上端部１７ｂの採光口１６には採光装置１８が取り付けられており、この採光装置１８によって、長時間に亘って太陽からの自然光を導光用縦ダクト１７に効率良く取り込むことができるようになっている。
【００３４】
ここで、採光装置１８としては、建物の壁や屋根、屋上等に取り付けられて、太陽からの自然光をダクトを介して建物の屋内に取り込むことが可能な機構を有する、公知のアクリル製や硝子製の各種の採光装置を用いることができる。例えば特開２０００−１６２５４１号公報、特開２０００−２４３１１１号公報、特開２００６−５４０７１号公報、特開２００４−３９３１８号公報等に記載された採光装置に適宜改良を加えて用いることができる。
【００３５】
さらに、本実施形態では、導光用横ダクト１４は、図１（ｂ）及び図２（ａ）に示すように、建物１０の外壁から離れた中間部分において、導光用縦ダクト１７の下端部１７ａとの接続部分から南側に、当該南側の外壁４５に至るまで延設して設けられている。また南側の外壁４５に近接する一部の導光用横ダクト１４を０．５層分の高さで下方に拡幅することにより、低床居住部１３の床部１３ａから下方に突出する垂直放光部４６が形成されている。垂直放光部４６が形成されていることより、導光用横ダクト１４よりも一段下がった当該垂直放光部４６からも、放光口１５を介して太陽からの自然光を効率良く放光することが可能になる。
【００３６】
さらにまた、本実施形態では、図５（ａ），（ｂ）に示すように、垂直放光部４６の直下部分に、下階居住空間１９から利用可能な収納部４７が設けられている。収納部４７は、１階収納庫２２の上方の１階第３居住部２３から出入れ可能な上段収納部４７ａと、１階第１居住部２０から出入れ可能な上段収納部４７ｂとに上下に分割されている。垂直放光部４６の直下部分に収納部４７が設けられていることにより、導光用横ダクト１４の下方の空間を、利便性に富んだ収納スペースとして有効利用することが可能になる。
【００３７】
また、本実施形態では、導光用横ダクト１４から自然光が放光される周囲の居住空間である１階第１居住部２０、１階第３居住部２３、１階第４居住部２４、２階第１居住部２６、２階第２居住部２７、及び２階第４居住部３２の内周面に、光触媒系材料による仕上げが施されている。ここで、光触媒系材料としては、公知の各種の光触媒系材料を用いることができ、例えば特開２００２−２３５３８２号公報に記載される、光触媒活性を有する酸化チタンを担持した調湿性無機粉末を含有する水性エマルジョン塗料等を用いることができる。このような光触媒系材料は、太陽からの自然光による作用を受けて、空気中のＮＯXやＳＯX、ホルムアルデヒドなどの有害物質を除去する空気浄化機能や、アセトアルデヒド、アンモニア、硫化水素などによる悪臭を吸着、分解する脱臭機能、或いは水中に融解した汚染物質であるテトラクロロエチレンやトリクロロエチレンなどの揮発性有酸素化合物を分解、除去する浄水機能等を発揮する材料として知られるものである。また抗菌、殺菌作用によりクリーンな環境を形成する細菌・ウィルス感染抑制機能や、壁や床面の汚れを防ぐ防汚機能を発揮する材料としても知られるものである。
【００３８】
そして、上述の構成を有する本実施形態の自然光利用建物１０によれば、建物の居住空間の配置を工夫して、建物の中間部分に簡易且つ安価で維持管理も容易な導光用ダクト１４を効率良く設けることができると共に、必要に応じて導光用ダクト１４から４方に放光することを可能にして、自然光の利用や省エネルギー化を効率良く図ることが可能になる。
【００３９】
すなわち、本発明の自然光利用建物１０によれば、導光用横ダクト１４は、上階居住空間１１に高床居住部１２と低床居住部１３とを０．５層分の高低差で隣接して配置すると共に、高床居住部１２の床部１２ａと低床居住部１３の床部１３ａの隣接する側の辺部を上下に重ねて配置することにより、当該重ねて配置される部分の空間に０．５層分の高さを有するように形成されるので、例えば０．５層分の階間収納庫や吹抜け部が居住空間の一部に設けられる建物における、０．５層分の高低差を有する部分の隣接する居住部１２，１３間の床部１２ａ，１３ａを利用して、４方を居住部２０，２３，２４，２６，２７，３２によって囲まれる建物１０の中間部分に、導光用横ダクト１４を簡易に且つ効率良く設けることが可能になる。
【００４０】
また、導光用横ダクト１４は、高床居住部１２の床部１２ａと低床居住部１３の床部１３ａの隣接する側の辺部を上下に重ねて配置することにより形成された０．５層分の高さの空間に、略正方形の断面形状を有するように形成されており、例えば低床居住部１２から当該導光用横ダクト１４に人が容易に立ち入ることができる大きさを有しているので、当該導光用横ダクト１４の施工及び維持管理を容易に行うことができると共に、補修や清掃等を容易に行うことが可能になる。
【００４１】
さらに、導光用横ダクト１４は、４方を居住部２０，２３，２４，２６，２７，３２によって囲まれる建物１０の中間部分に設けられるので、下面１４ａ、両側の側面１４ｂ，１４ｂ、及び上面１４ｃの、一部又は全部の面に設けられた放光口１４から、４方の居住部２０，２３，２４，２６，２７，３２に必要に応じて適宜放光することが可能になり、これによって導光用横ダクト１４を介して採光口１５から導光された自然光を、広い領域に亘って効率良く放光することを可能にして、省エネルギー化を効果的に図ることが可能になる。
【００４２】
また、本実施形態の自然光利用建物１０によれば、高床居住部１２の下方の下階居住空間１９や低床居住部１３の上方の上階居住空間１１に、例えばスキップ床を配置して０．５層分の高さの１階収納庫２２や２階収納庫３３が設けられているので、適度な広さの収納スペースを効率良く確保することが可能になる。
【００４３】
さらに、本実施形態の自然光利用建物１０によれば、採光口１６を、下端部１７ａが導光用横ダクト１４に接続すると共に、縦方向に延設して上端部１７ｂが建物１０の屋根部分に開口する、内周面に光反射材が取り付けられた導光用縦ダクト１７の当該上端部１７ｂに形成し、この上端部１７ｂに取り付けられた採光装置１８によって導光用縦ダクト１７及び導光用横ダクト１４に自然光を取り込むようになっているので、長時間に亘って太陽光が照射される建物１０の屋根部分に開口する採光口１６に取り付けた採光装置１８から、内周面に光反射材が取り付けられた導光用縦ダクト１７を介して、建物１０の中間部分に設けられた導光用横ダクト１７に長時間に亘って効率良く安定した状態で自然光を導光することが可能になる。
【００４４】
さらにまた、本発明の自然光利用建物１０によれば、導光用横ダクト１４から自然光が放光される周囲の居住空間の内周面に、光触媒系材料による仕上げを施されているので、太陽からの自然光に含まれる紫外線の作用により空気中の有害物質除去機能、脱臭機能、抗菌・殺菌機能等を発揮させて、周囲の居住空間の環境浄化を図ることが可能になると共に、周囲の居住空間の内周面を構成する壁面や床面、天井面等に汚れが生じるのを効果的に抑制することが可能になる。
【００４５】
また、本発明の自然光利用建物１０によれば、建物１０の奥まった部分まで太陽からの自然光を取り込むことができるので、例えば１．５層分の高さの１階第４居住部２４に、ベンジャミン、ゲッキツ、ガジュマル等の熱帯性樹木や、その他の植栽を施して屋内に緑を取り込むことが可能になり、またインドアグリーンとして高木を楽しむことも可能になる。
【００４６】
図６は、本発明の好ましい他の実施形態に係る自然光利用建物５０を示すものである。図６の自然光利用建物５０においても、当該建物５０の中間部分において、高床居住部の床部１２ａ’と低床居住部の床部１３ａ’の重ねて配置される部分の空間に０．５層分の高さの略正方形の断面形状を有する導光用横ダクト１４’が設けられている。また、採光口１６’が、下端部１７ａ’が導光用横ダクト１４’に接続すると共に、縦方向に延設して上端部１７ｂ’が建物５０の屋根部分に開口する導光用縦ダクト１７’の当該上端部１７ｂ’に形成されており、この上端部１７ｂ’に取り付けられた採光装置１８’によって導光用縦ダクト１７’及び導光用横ダクト１４’に自然光を取り込むようになっている。
【００４７】
さらに、図６の自然光利用建物５０によれば、導光用横ダクト１４’及び導光用縦ダクト１７’は、これらの内部に、内周面を覆って反射材が取り付けられた導光用ダクト管５１を設置することにより構成されており、導光用横ダクト１４’及び導光用縦ダクト１７’の内周面と導光用ダクト管５１の外周面との間には換気路５２が保持されており、導光用縦ダクト１７’を通過する換気路５２を介した上昇気流によって、居住空間の換気を行えるようになっている。
【００４８】
そして、図６の自然光利用建物５０によれば、上記実施形態の自然光利用建物１０と略同様の作用効果が奏される他、自然光が導光される導光用ダクト管５１の内部を経ることなく、居住部から排出される排気を、導光用横ダクト１４’及び導光用縦ダクト１７’を通過する換気路５２を介した上昇気流によって、例えば導光用縦ダクト１７’の上部に設けた排気口５３から、効率良く屋外に排出することが可能になる。
【００４９】
なお、本発明は上記実施形態に限定されることなく種々の変更が可能である。例えば、導光用縦ダクトを設ける必要は必ずしもなく、採光口を導光用縦ダクトの上端部に形成する必要は必ずしもない。採光口を建物の外壁面やバルコニー等に設けて導光用横ダクトに自然光を取り込むようにすることもできる。また、導光用横ダクトは略正方形の断面形状を有している必要は必ずしも無く、矩形断面形状を有していても良い。さらに、本発明が適用される建物は、全体が略２．５層分の軒桁高さを有する低層の住宅建築物である必要は必ずしも無く、３階建て以上の建物や、住宅建築物以外の建物であっても良い。一部が半地下になっている建物であっても良い。
【図面の簡単な説明】
【００５０】
【図１】本発明の好ましい一実施形態に係る自然光利用建物の構成を説明する、（ａ）は図２（ａ）のＡ−Ａに沿った略示断面図、（ｂ）は図２（ａ）のＢ−Ｂに沿った略示断面図である。
【図２】本発明の好ましい一実施形態に係る自然光利用建物の構成を説明する、（ａ）は図１（ａ）のＣ−Ｃに沿った略示断面図、（ｂ）は図１（ａ）のＤ−Ｄに沿った略示断面図、（ｃ）は図１（ａ）のＥ−Ｅに沿った略示断面図である。
【図３】導光用横ダクトの構成を説明する拡大断面図である。
【図４】放光口に強化硝子を取り付けた状態の説明図である。
【図５】（ａ），（ｂ）は、垂直放光部及びこれの直下部分に設けられた収納部の構成を説明する拡大断面図である。
【図６】本発明の好ましい他の実施形態に係る自然光利用建物の構成を説明する略示断面図である。
【符号の説明】
【００５１】
１０，５０  自然光利用建物
１１  上階居住空間
１２，１２’  高床居住部
１２ａ，１２ａ’  高床居住部の床部
１３，１３’  低床居住部
１３ａ，１３ａ’  低床居住部の床部
１４，１４’  導光用横ダクト
１４ａ  導光用横ダクトの下面
１４ｂ  導光用横ダクトの側面
１４ｃ  導光用横ダクトの上面
１５，１５’  放光口
１６，１６’  採光口
１７，１７’  導光用縦ダクト
１８  採光装置
１９  下階居住空間
２０，２１，２３，２４，２６，２７，２９，３２  居住部
２２，２８，３３  収納庫
３６  光反射材
４０  出入り口
４１  開閉扉
４６  垂直放光部
４７  収納部
４８  熱帯樹木
５１  導光用ダクト管
５２  換気路
５３  排気口
【図１】
2010013877.tif 000003
【図２】
2010013877.tif 000004
【図３】
2010013877.tif 000005
【図４】
2010013877.tif 000006
【図５】
2010013877.tif 000007
【図６】
2010013877.tif 000008